(57)【要約】【課題】  被記録媒体の搬送中にスキューが生じても、画像品位の低下を抑制する。【解決手段】  複数の記録素子が配列された記録ヘッドを用いて、前記記録素子の配列方向と交差する方向に搬送する被記録媒体に記録を行う記録装置であって、記録ヘッドが備える記録素子を複数のグループに分け、記録素子に対応した補正情報をグループ毎に備えるテーブルと、前記記録素子の配列方向についての前記被記録媒体の位置情報の取得する第１取得部と、前記位置情報と前記テーブルとに基づいて前記補正情報を取得する第２取得部と、前記補正情報に基づいて画像データに対して補正を行う。【選択図】  図１
2011255593.tif 000002
【特許請求の範囲】
【請求項１】
複数の記録素子が配列された記録ヘッドを用いて、前記記録素子の配列方向と交差する方向に搬送する被記録媒体に記録を行う記録装置であって、
記録ヘッドが備える記録素子を複数のグループに分け、記録素子に対応した補正情報をグループ毎に備えるテーブルと、
前記記録素子の配列方向についての前記被記録媒体の位置情報を取得する第１取得部と、
前記位置情報と前記テーブルとに基づいて、前記補正情報を取得する第２取得部と、
前記補正情報に基づいて、画像データに対して補正を行う画像補正部とを備えることを特徴とする記録装置。
【請求項２】
前記テーブルは、前記グループ毎に補正情報を備えることを特徴とする請求項１に記載の記録装置。
【請求項３】
前記画像補正部は、複数ラスタで構成される画像データのうち、同一グループ毎に補正を行うことを特徴とする請求項１に記載の記録装置。
【請求項４】
前記画像補正部は、濃度補正を行う濃度補正部または輝度補正を行う輝度補正部であることを特徴とする請求項１または請求項２に記載の記録装置。
【発明の詳細な説明】
【技術分野】
【０００１】
本発明は、記録装置及びその制御方法に関し、特に画像データ処理に関するものである。
【背景技術】
【０００２】
引用文献１には、記録ヘッドを用いて画像記録を行う場合に、記録素子毎に吐出するインク量が異なるために生ずる濃度ムラを、画像データの補正処理を行って抑制することが開示されている。
【先行技術文献】
【特許文献】
【０００３】
【特許文献１】特開平１０−１３６７４号公報
【発明の概要】
【発明が解決しようとする課題】
【０００４】
しかしながら、図６に示すように、被記録媒体の搬送中にスキューが生じると、被記録媒体と記録ヘッドとの位置関係（記録素子の配列方向の位置関係）が変わる。このため、画像データの補正が不十分であり、スキューの影響をうけて画像の品位が低下する。
【０００５】
本発明は、上記課題を解決するための記録装置及びその制御方法を提供する。
【課題を解決するための手段】
【０００６】
上記課題を解決するために、本発明の記録装置は、複数の記録素子が配列された記録ヘッドを用いて、前記記録素子の配列方向と交差する方向に搬送する被記録媒体に記録を行う記録装置であって、記録ヘッドが備える記録素子を複数のグループに分け、記録素子に対応した補正情報をグループ毎に備えるテーブルと、前記記録素子の配列方向についての前記被記録媒体の位置情報を取得する第１取得部と、前記位置情報と前記テーブルとに基づいて、前記補正情報を取得する第２取得部と、前記補正情報に基づいて、画像データに対して補正を行う画像補正部とを備える。
【発明の効果】
【０００７】
本発明により、被記録媒体の搬送中にスキューが生じて、被記録媒体と記録ヘッドとの位置関係が変化しても、画像データの補正を行うことができ、画像の品位の低下を抑制できる。
【図面の簡単な説明】
【０００８】
【図１】第１の実施形態における補正部を説明する図である。
【図２】記録素子の記録特性と補正制御の補足説明の図である。
【図３】第１の実施形態における記録装置の制御構成を示す図である。
【図４】第１の実施形態における画像処理部を説明する図である。
【図５】第１の実施形態におけるスキューの有無に応じた補正テーブルの使用について説明する図である。
【図６】スキューによる記録に使用する記録素子を説明する図である。
【図７】記録装置の断面図である。
【図８】記録装置の搬送を説明する図である。
【図９】記録装置の搬送を説明する図である。
【図１０】その他の実施形態の記録ヘッドを説明する図である。
【図１１】その他の実施形態のＨＳ部を説明する図である。
【図１２】第２の実施形態における画像処理部を説明する図である。
【図１３】第２の実施形態における補正部を説明する図である。
【発明を実施するための形態】
【０００９】
（第１の実施形態）
図３は、インクジェット記録装置の制御構成を示す図である。
【００１０】
ＣＰＵ３０２はＡＳＩＣ３０１の動作を統括・管理する。メモリ３０４は、本実施例の記録装置のメイン・メモリであるＳＤ−ＲＡＭである。メモリ３０４はＳＤＲＡＭに限定せず、ＤＲＡＭ、ＳＲＡＭでも構わない。
【００１１】
受信Ｉ／Ｆ３０３は、ホスト装置（ＰＣ）３２０から転送されるデータを受信するインターフェース部である。このインターフェース部３０３は、ＵＳＢやＩＥＥＥ  １３９４と言ったインターフェースのプロトコルに合わせて信号（データ）の取り込みを行い、受信バッファ３０４Ａに格納する。なお、ホスト装置（ＰＣ）３２０から受信する代わりに、画像読取部からデータを受信する形態でも構わない。
【００１２】
受信バッファ１２０４に保存されたデータは、画像処理部３０５に読み込まれる。図４に示すように、画像処理部３０５は、輝度変換部３０５Ａ、濃度変換部３０５Ｂ，ＨＳ処理（濃度補正）を行うＨＳ部３０５Ｃ、ガンマ変換を行うガンマ変換部３０５Ｄ、誤差拡散処理を行う誤差拡散部３０５Ｅを備える。
【００１３】
図４に示す画像データは、４ラスタで構成されている画像データを示している。画像処理部３０５は、この画像データに対して、上述した処理を順に行い、記録データバッファ３０４Ｃに保存する。
【００１４】
図２（ａ）に示すように、記録素子列２０１を構成する記録素子２０２の濃度特性は、記録素子毎にばらつきがある。そこで、図２（ｂ）に示すように、記録素子を複数の領域（グループ）を定め、その領域（グループ）毎に補正データ（補正情報）を補正テーブルバッファ３０４Ｂに保持する。ＨＳ処理は、濃度データが対応する記録素子を特定し、その記録素子に対応する補正データを取得し、その補正データに基づいて画像データの濃度値を補正する。
【００１５】
スキュー検知部３１３はスキューを検知する。スキュー制御部（スキュー取得部）３０７は、スキュー検知部３１３からの情報によりスキュー量やスキューの向きなどを取得する。スキュー制御部３０７は、画像処理部へスキューに関する情報を出力する。なお、スキューに関する情報は、周期的な値であるならば、予めメモリに格納しておき、搬送動作を行う際に読み出す形態でも構わない。
【００１６】
エンコーダ部３１２は、搬送手段の動作に従って信号を出力する。エンコーダ制御部（エンコーダ取得部）３０８は、その信号に基づいて、搬送手段あるいは用紙（被記録媒体）の速度情報、駆動量（回転量や移動量）の情報を取得する。これらの情報は、データ展開部３０６、スキュー制御部３０７へ出力される。
【００１７】
記録データバッファ３０４Ｃに保存されたデータは、記録制御のタインミングに従って、データ展開部３０６に読み込まれる。データ展開部３０６は、データ展開処理、マスク制御など様々な処理が行われ、ドットデータをメモリ３０９に格納する。データ展開処理は、図２（Ｂ）に示すように、６００ｄｐｉの１つの多値データから１２００ｄｐｉの縦／横２個のドットデータ（２値データ）を生成する。従って、６００ｄｐｉの１ラスタの多値データから１２００ｄｐｉの２ラスタのドットデータ（２値データ）を生成する。ここでは、黒丸は記録するドットを示し、白丸は記録しないドットを示す。
【００１８】
データ展開部３０６は、更に、エンコーダ制御部３０８からの情報や信号に基づいて、記録ヘッドを駆動するためのタイミング信号を生成する。ヘッド駆動部３１０は、データ展開部３０６で生成したタイミング信号に基づき、メモリ３０９に格納されている２値データを記録ヘッド３１１へ転送する。ヘッド駆動部３１０は、記録ヘッド３１１が備える記録素子を駆動する信号を生成し、記録ヘッド３１１へ出力する。記録ヘッド３１１は、２値データに基づき、記録素子を駆動して、インクを吐出する。
【００１９】
次に、ＨＳ処理について説明する。図６に示すように、スキューが発生して、記録素子と用紙の位置関係が変わると、記録に使用する記録素子も同様に変わる。このために、記録に使用する記録素子に対応して、画像データの濃度補正を行う。
【００２０】
図１は、ＨＳ処理の制御を説明する図である。図１（Ａ）は、ＨＳ部（濃度補正部）３０５Ｃの濃度補正のための構成を説明する図である。
【００２１】
図２（Ｂ）に示すように、記録ヘッドには、複数の記録素子が配列されている。この記録素子を予め定められた数で分割し領域を定める。なお、ここでは、説明を簡単にするために、１６の記録素子（２０１）をＡからＤの４つのグループ（領域）を定める。１つのグループは多値データ２画素分で構成されており、記録素子４つ分で構成されている。
【００２２】
図１に示す補正テーブルバッファ３０４Ｂに、記録素子のグループ（領域）に対応した補正テーブル（ＴＢＬＡ、ＴＢＬＢ、ＴＢＬＣ、・・・）を格納する。この補正テーブルは、補正値を濃度レベル毎に備え、２つの記録素子（１つの多値データ）に対応する補正値をそれぞれ備えている。図２（Ｂ）に示すように、各画素データは、対応する補正データにより補正され、その後２値データに展開されて、記録素子に割当てられる。なお、補正テーブルのサイズを小さくするために、領域毎に補正値を共通にする形態でも構わない。
【００２３】
この実施形態では、説明を簡単にするために、画像データの濃度範囲は、濃度０〜濃度７とすると、各濃度に対応した補正値を備えている。
【００２４】
この補正テーブルバッファ３０４Ｂは例えば、ＤＲＡＭである。更に、補正テーブルバッファ３０４Ｂより、高速に読み書きができるバッファ３０５１（例えばＳＲＡＭ）に、２つ補正テーブルを格納する領域３０５１Ａ、３０５１Ｂを備える。これにより、一方の領域に補正テーブルから読み出しを行っている間に、他方の領域に補正テーブルを書込むことができる。ＨＳ部は、１の領域の補正データを読み出す毎に、交互にアクセスする。
【００２５】
ＤＭＡ制御部３０５２は、ＨＳ部３０５Ｃからの指示に基づき、テーブルバッファ３０４Ｂからバッファ３０５１へ補正テーブルを転送する。ＨＳ部３０５Ｂは１つの領域の補正処理が終わると指示を出す。
【００２６】
次に、ＨＳ部３０５Ｃに対するデータの入出力を説明する。図１（Ｂ）に示すように、例えば、６画素（Ｄ１〜Ｄ６）で構成されている１ラスタ分のデータ処理について、説明する。ここでは、スキュー量の情報により、６画素のデータを領域Ｂから領域Ｄに割当てる。このために、補正テーブルはＴＢＬＢ、ＴＢＬＣ、ＴＢＬＤを使う。前もって、バッファ３０５１には、補正テーブルＴＢＬＢ、補正テーブルＴＢＬＣ格納されているものとする。
【００２７】
例えば、図１（Ｂ）に示すように、Ｎラスタの１画素目のデータ（濃度３）が、グループＢの１画素目であれば、補正テーブル（ＴＢＬＢ）の濃度３の補正テーブルが選択され、そのテーブルの１画素目の補正値が選択される。この補正値により入力画素を補正する。この実施例では、図１（Ａ）に示すように、補正値は−１であるので、出力画素の値は２となる。以後、順に１画素づつ補正を行ない、出力を行う。６画素分の補正処理を行った後、次の第Ｎ＋１ラスタの処理を同様に行う。
【００２８】
ＨＳ部３０５Ｃは、ラスター数を管理するためのラスターカウンタ３０５Ｃ１を備えている。画素数を管理するための画素カウンタ３０５Ｃ２カウント前段の濃度変換部３０５Ｂから画素データとラスターの最後の画素データか否かを示すフラグ情報（ＦＬＡＧ）と、パラメータ情報（Ｐａｒａｍ）を入力する。このパラメータ情報は、スキュー量等の補正テーブルを選択するための情報が含まれている。ＨＳ部３０５Ｃは、このパラメータ情報に基づき、記録素子の配列方向についての用紙の位置情報を取得して、補正処理のための設定を行う。例えば、ＨＳ部３０５Ｃのレジスタに、記録素子列のうち使用する記録素子の範囲の設定を行う。
【００２９】
このフラグ情報が有効（フラグ情報がセットされている）、すなわちラスターの最後の画素を示す場合に、ＨＳ部は、次のラスターの画素データを処理することを認識し、ラスターカウンタを１カウントアップする。なお、ラスターカウンタは１つの画像データに対して処理を始める前に初期化して０にしておく。
【００３０】
以上のような構成および初期設定がされ、画像処理部３０５の処理を始める。
【００３１】
前段の処理部である濃度変換部３０５Ｂから処理された入力画素情報とラスターの最後の画素かどうかを示すフラグ情報を入力して、ＨＳ部３０５Ｃは上述した処理を行っていく。
【００３２】
図５（Ａ）はスキューが生じない場合の、画像１の記録から画像４の処理を説明する図である。説明を簡単にするために、画像１、画像２、画像３、画像４はすべて４ラスタで構成されているものとする。
【００３３】
画像１について説明すると、符号Ｓは、最初のラスターにおける先頭の画素であり、この画素から矢印の方向に順に処理を行う。即ち、領域Ａから順に領域Ｋまで行う。最初のラスターの処理が終わると、次のラスターの処理を、領域Ａから順に領域Ｋまで行う。符号Ｅは、最後のラスターにおける最終の画素を示している。
【００３４】
図５（Ａ）において、スキューが生じないので、画像１の記録から画像４の記録まで、記録ヘッドと記録媒体の相対的な位置関係は変わらず、一定である。従って、記録のためのＨＳ部が行う領域（ＡからＫ）は同じであり、ＨＳ部は、領域Ａに対応する補正テーブルから領域Ｋに対応する補正テーブルを使う。
【００３５】
図５（Ｂ）はスキューが生じた場合の、画像１の記録から画像４の処理を説明する図である。スキューが生じるために、画像１の記録から画像４の記録まで、記録ヘッドと記録媒体の相対的な位置関係は変わる。従って、記録のための画像が割当てられる記録素子も異なる。例えば、画像１においては、先頭画素（符号Ｓ）は領域Ａの１画素目であり、画像２においては、先頭画素は領域Ｄの１画素目である。
【００３６】
このように、ＨＳ部は、入力したパラメータ情報（Ｐａｒａｍ）に含まれるスキューの情報に基づいて、参照するテーブルを選択して、選択したテーブルを参照して、補正処理を行う。
【００３７】
以上のような構成により、補正テーブルの大容量化に対応でき、回路規模の増大を抑えつつ処理の高速化を実現できる。また、記録媒体の搬送において、スキューが生じた場合でも画像ムラを低減することができる。
【００３８】
（第２の実施形態）
第２の実施形態では、画像処理部３０５において、ＣＳ部（輝度補正部）３０５Ｆの輝度補正のための構成について説明する。図１２は、画像処理部３０５を説明する図である。第１の実施形態と相違する点について説明する。ＣＳ部（輝度補正部）３０５Ｆの前段にある輝度変換部３０５Ａは、モニタの表現色のｓＲＧＢのデータをプリンタの色再現域のデータＲＧＢに変換する。輝度変換部３０５Ａは、三次元ルックアップテーブル（ＬＵＴ）を用いて変換処理を行う。ＣＳ部３０５Ｆは、第１の実施形態と同様にスキューに応じて輝度情報の補正を行う。ＣＳ部３０５Ｆは、三次元ルックアップテーブル（ＬＵＴ）を用いて補正を行うことで、記録素子の吐出特性のばらつきがあっても、色差を低減することができる。図１３は、ＣＳ部の構成を説明する図である。図１３に示す補正テーブルバッファ３０４Ｄに、記録素子のグループ（領域）に対応した補正テーブル（ＴＢＬＡ、ＴＢＬＢ、ＴＢＬＣ、・・・）を格納する。この補正テーブルバッファ３０４Ｄは，図３のメモリ３０４に設けられている。この補正テーブルは、補正値を輝度レベル毎に備え、２つの記録素子（１つの多値データ）に対応する補正値をそれぞれ備えている。この第２の実施形態では、説明を簡単にするために、画像データの輝度範囲は、輝度０〜輝度７とすると、各輝度に対応した補正値を備えている。更に、図１と同様に高速に読み書きができるバッファ３０５３（例えばＳＲＡＭ）に、２つ補正テーブルを格納する領域を備える。
【００３９】
（プリンタの構成）
次に、第１の実施形態、第２の実施形態に適用するインクジェット方式を用いた記録装置（プリンタ）の実施形態を説明する。プリンタは、ロール状に巻かれた連続シートを使用し、片面プリント及び両面プリンの両方に対応したラインプリンタである。
【００４０】
図７はプリンタの断面の概略図である。プリンタ内部には、大きくは、シート供給部１、デカール部２、斜行矯正部３、プリント部４、検査部５、カッタ部６、情報記録部７、乾燥部８、シート巻取部９、排出搬送部１０、ソータ部１１、排出トレイ１２、制御部１３の各ユニットを備える。シートは、図中の実線で示したシート搬送経路に沿ってローラ対やベルトからなる搬送機構で搬送され、各ユニットで処理がなされる。
【００４１】
シート供給部１は、ロール状に巻かれた連続シートを収納して供給するユニットである。シート供給部１は、２つのロールＲ１、Ｒ２を収納することが可能であり、択一的にシートを引き出して供給する構成となっている。なお、収納可能なロールは２つであることに限定はされず、１つ、あるいは３つ以上を収納するものであってもよい。デカール部２は、シート供給部１から供給されたシートのカール（反り）を軽減させるユニットである。デカール部２では、１つの駆動ローラに対して２つのピンチローラを用いて、カールの逆向きの反りを与えるようにシートを湾曲させてしごくことでカールを軽減させる。斜行矯正部３は、デカール部２を通過したシートの斜行（本来の進行方向に対する傾き）を矯正するユニットである。基準となる側のシート端部をガイド部材に押し付けることにより、シートの斜行が矯正される。
【００４２】
プリント部４は、搬送されるシートに対してプリントヘッド１４によりシートの上に画像を形成するユニットである。プリント部４は、シートを搬送する複数の搬送ローラも備えている。プリントヘッド１４は、使用が想定されるシートの最大幅をカバーする範囲でインクジェット方式のノズル列が形成されたライン型プリントヘッドを有する。プリントヘッド１４は、複数のプリントヘッドが搬送方向に沿って平行に並べられている。本例ではＣ（シアン）、Ｍ（マゼンタ）、Ｙ（イエロー）、ＬＣ（ライトシアン）、ＬＭ（ライトマゼンタ）、Ｇ（グレー）、Ｋ（ブラック）の７色に対応した７つのプリントヘッドを有する。プリントヘッドは、図２で説明したように、複数の記録素子が配列しており、その配列方向は被記録媒体の搬送方向と交差する方向である。なお、色数及びプリントヘッドの数は７つには限定はされない。インクジェット方式は、発熱素子を用いた方式、ピエゾ素子を用いた方式、静電素子を用いた方式、ＭＥＭＳ素子を用いた方式等を採用することができる。各色のインクは、インクタンクからそれぞれインクチューブを介してプリントヘッド１４に供給される。図３で説明したスキュー検知部３１３は、プリントヘッド１４の搬送方向上流側と搬送方向下流側に設けられている。スキュー検知部３１３は、被記録媒体の搬送方向に沿った端部を光学式のラインセンサで検知する。スキュー検知部３１３は、ラインセンサから周期的に信号を入力して処理を行うことで、被記録媒体の蛇行、スキューの情報を取得できる。
【００４３】
検査部５は、プリント部４でシートにプリントされた検査パターンや画像を光学的に読み取って、プリントヘッドのノズルの状態、シート搬送状態、画像位置等を検査するユニットである。カッタ部６は、プリント後のシートを所定長さにカットする機械的なカッタを備えたユニットである。カッタ部６は、シートを次工程に送り出すための複数の搬送ローラも備えている。情報記録部７は、カットされたシートの裏面にプリントのシリアル番号や日付などのプリント情報を記録するユニットである。乾燥部８は、プリント部４でプリントされたシートを加熱して、付与されたインクを短時間に乾燥させるユニットである。乾燥部８は、シートを次工程に送り出すための搬送ベルト及び搬送ローラも備えている。
【００４４】
シート巻取部９は、両面プリントを行う際に表面プリントが終了した連続シートを一時的に巻き取るユニットである。シート巻取部９はシートを巻き取るための回転する巻取ドラムを備えている。表面のプリントが済んでカットされていない連続シートは巻取ドラムに一時的に巻き取られる。巻き取りが終わったら、巻取ドラムが逆回転して巻き取り済みシートはデカール部２に供給され、プリント部４に送られる。このシートは表裏反転しているのでプリント部４で裏面にプリントを行うことができる。両面プリントのより具体的な動作については後述する。
【００４５】
排出搬送部１０は、カッタ部６でカットされ乾燥部８で乾燥させられたシートを搬送して、ソータ部１１までシートを受け渡すためのユニットである。ソータ部１１は必要に応じてプリント済みシートをグループ毎に排出トレイ１２の異なるトレイに振り分けて排出するユニットである。制御部１３は、プリンタ全体の各部の制御を司るユニットである。制御部１３は、上述したＣＰＵやＡＳＩＣなどの制御回路や、メモリ、各種Ｉ／Ｏインターフェースを備えたコントローラ１５及び電源を有する。プリンタの動作は、コントローラ１５又はコントローラ１５にＩ／Ｏインターフェースを介して接続されるホストコンピュータ等の外部機器１６からの指令に基づいて制御される。
【００４６】
次に、記録動作について説明する。プリントは、片面プリントと両面プリントとでは動作が異なるので、それぞれについて説明する。
【００４７】
図８は、片面プリント時の動作を説明する図である。シート供給部１から供給されたシートがプリントされて排出トレイ１２に排出されるまでの搬送経路を太線で示している。シート供給部１から供給され、デカール部２、斜行矯正部３でそれぞれ処理されたシートは、プリント部４において表面のプリントがなされる。プリントされたシートは検査部５を経て、カッタ部６において予め設定されている所定の単位長さ毎にカットされる。カットシートは、必要に応じて情報記録部７でシートの裏面にプリント情報が記録される。そして、カットシートは一枚ずつ乾燥部８に搬送され乾燥が行なわれる。その後、排出搬送部１０を経由して、ソータ部１１のトレイ１２に順次排出され積載されていく。
【００４８】
図９は、両面プリント時の動作を説明するための図である。両面プリントでは、表面プリントシーケンスに次いで裏面プリントシーケンスを実行する。最初の表面プリントシーケンスでは、シート供給部１から検査部５までの各ユニットでの動作は上述の片面プリントの動作と同じである。ただし、カッタ部６ではカット動作は行わずに、連続シートのまま乾燥部８に搬送される。乾燥部８での表面のインク乾燥の後、排出搬送部１０の側の経路ではなく、シート巻取部９の側の経路にシートが導入される。導入されたシートは、順方向（図面では逆時計回り方向）に回転するシート巻取部９の巻取ドラムに巻き取られていく。記録部４において、予定された表面のプリントが全て終了すると、カッタ部６にて連続シートのプリント領域の後端がカットされる。カット位置を基準に、搬送方向下流側（プリントがされた側）の連続シートは乾燥部８を経てシート巻取部９でシート後端（カット位置）まで全て巻き取られる。一方、カット位置よりも搬送方向上流側の連続シートは、シート先端（カット位置）がデカール部２の残らないように、シート供給部１に巻き戻される。
【００４９】
以上の表面プリントシーケンスの後に、裏面プリントシーケンスに切り替わる。シート巻取部９の巻取ドラムが巻き取り時とは逆方向（図面では時計回り方向）に回転する。巻き取られたシートの端部（巻き取り時のシート後端は、送り出し時にはシート先端になる）はデカール部２に送り込まれる。デカール部２では先とは逆向きのカール矯正がなされる。これは、巻取ドラムに巻かれたシートは、シート供給部１でのロールとは表裏反転して巻かれ、逆向きのカールとなっているためである。その後は、斜行矯正部３を経て、プリント部４で連続シートの裏面にプリントが行なわれる。プリントされたシートは検査部５を経て、カッタ部６において予め設定されている所定の単位長さ毎にカットされる。カットシートは両面にプリントされているので、情報記録部７での記録はなされない。カットシートは一枚ずつ乾燥部８に搬送され、排出搬送部１０を経由して、ソータ部１１のトレイ１２に順次排出され積載されていく。
【００５０】
（その他の実施形態）
以上、実施形態について説明したが、上述の形態に記載されている数に限定するものではない。例えば、画像補正部として、ＨＳ部やＣＳ部などを例にして説明したが、他の補正処理に適用しても構わない。
【００５１】
例えば、記録素子列が備える記録素子の数は１６や４０に限定するものではない。記録素子をグループの数も４あるいは２０に限定するものではない。グループを構成する記録素子の数も４に限定するものではなく、例えば、１６、３２などの値であっても構わない。
【００５２】
画像データの濃度レベルについても、説明した実施形態では濃度０〜濃度７の８レベルで説明したが、この数値に限定するものではなく１２８レベルや２５６レベルであっても構わない。４ラスタ分の画像データを処理する説明を行っているが、この値に限定するものではない。
【００５３】
なお、図１の形態では、バッファ３０５１の領域を書込み用と読み出し用の領域を２つ設けていたが、メモリ容量を少なくすることを優先し、領域を１つにする形態でも構わない。
【００５４】
また、記録ヘッドの形態についても、例えば、記録ヘッド３１１が、図１０（Ａ）に示すように、記録素子列２０１Ａ、２０１Ｂを配置している形態であっても構わない。この場合には、図１０に示すように領域を割当てる。
【００５５】
また、上述の実施形態では、ＨＳ処理の順序について、ラスター内の領域を順に処理を行ったが、図１０（Ｂ）の矢印に示すように、まず、Ａの領域に関してＭラスタ（複数ラスター）範囲の処理を行い、続いて同様にＢの領域の処理を行うよう、同一領域毎（同一グループ毎）に処理を行い、その領域を順に行う構成でも構わない。
【００５６】
ＨＳ処理におけるテーブルの形態として、共通のテーブル（ＴＢＬ１、ＴＢＬ２、ＴＢＬ３）を用いて、共用する形態としても構わない。図１１の補正テーブルバッファ３０４Ｂに、補正テーブルのほかに指示テーブルを備える。この指示テーブルは、複数の領域のテーブルを１つのテーブルで共用するように、指示テーブルを設けている。ＨＳはこの指示テーブルを参照することで、領域の数より少ないテーブルの数で、ＨＳ処理を行うことができる。この構成により、補正テーブルバッファ３０４Ｂのメモリ容量を削減することができる。
【符号の説明】
【００５７】
２０１  記録素子
３０５  画像処理部
３１１  記録ヘッド
【図１】
2011255593.tif 000003
【図２】
2011255593.tif 000004
【図３】
2011255593.tif 000005
【図４】
2011255593.tif 000006
【図５】
2011255593.tif 000007
【図６】
2011255593.tif 000008
【図７】
2011255593.tif 000009
【図８】
2011255593.tif 000010
【図９】
2011255593.tif 000011
【図１０】
2011255593.tif 000012
【図１１】
2011255593.tif 000013
【図１２】
2011255593.tif 000014
【図１３】
2011255593.tif 000015